【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
少なくとも１つの発光部を各々有する複数の光源が主走査方向に離間して配置された光源手段と、前記複数の光源から出射された各々の光束を偏向する偏向手段と、前記複数の光源の各々に対応して設けられ、かつ、副走査断面内において、前記複数の光源から出射された各々の光束を前記偏向手段の偏向面に対し斜め方向から入射させる第１の光学系を複数と、前記偏向手段の偏向面により偏向された複数の光束を被走査面上に結像させる第２の光学系と、を有し、
主走査断面内において、前記複数の第１の光学系の各々から出射した複数の光束を前記偏向手段の偏向面に対し互いに異なる角度で入射させるマルチビーム光走査装置であって、
前記被走査面上における走査開始端部における前記複数の光源のうち一方の光源手段から出射された光束の偏向手段の偏向面の上での副走査方向の主光線位置をZ1s(mm)、前記被走査面上における走査開始端部における前記複数の光源のうち他方の光源手段から出射された光束の偏向手段の偏向面の上での副走査方向の主光線位置をZ2s(mm)、前記被走査面上における走査終了端部における前記複数の光源のうち一方の光源手段から出射された光束の偏向手段の偏向面の上での副走査方向の主光線位置をZ1e(mm)、前記被走査面上における走査終了端部における前記複数の光源のうち一方の光源手段から出射された光束の偏向手段の偏向面の上での副走査方向の主光線位置をZ2e(mm)、前記第２の光学系の副走査方向の結像倍率をβ、前記マルチビーム光走査装置の解像度をＲ(dpi)とするとき、
｜｜Z1s−Z2s｜−｜Z1e−Z2e｜｜×｜β｜＜25.4/(2R)
なる条件を満足することを特徴とするマルチビーム光走査装置。
【請求項２】
前記複数の第１の光学系の各々は、主走査断面内において、前記複数の光源の各々から出射された複数の光束を前記偏向手段の偏向面の幅よりも広い光束幅で前記偏向面に入射させており、かつ、前記第１の光学系を構成する少なくとも１つの光学素子は、主走査方向又は副走査方向にパワーを備えており、
前記少なくとも１つの光学素子は、前記光学素子の母線方向が主走査方向から傾いていることを特徴とする請求項１に記載のマルチビーム光走査装置。
【請求項３】
前記被走査面上の画像中央において、前記複数の光束の走査線ピッチ間隔が解像度から定まる所定の値になるように各要素が調整されていることを特徴とする請求項１又は２に記載のマルチビーム光走査装置。
【請求項４】
前記各要素は、前記光源と前記光源から出射された光束の状態を他の状態に変換するコリメーターレンズとを有する光源ユニットであり、副走査断面内において、前記光源ユニットは、前記第１の光学系の光軸に対して傾くように配置されていることを特徴とする請求項３に記載のマルチビーム光走査装置。
【請求項５】
前記各要素は、前記光源から出射された光束の状態を他の状態に変換するコリメーターレンズであり、前記コリメーターレンズは、前記第１の光学系の光軸に対して偏心するように配置されていることを特徴とする請求項３に記載のマルチビーム光走査装置。
【請求項６】
前記各要素は、前記光源から出射された光束を前記偏向手段の偏向面に副走査方向に一端結像させるシリンドリカルレンズであり、前記シリンドリカルレンズは、前記第１の光学系の光軸に対して偏心するように配置されていることを特徴とする請求項３に記載のマルチビーム光走査装置。
【請求項７】
前記各要素は、前記光源から出射された光束を前記偏向手段の偏向面に副走査方向に一端結像させるシリンドリカルレンズであり、前記シリンドリカルレンズは、母線上の任意の垂線が前記第１の光学系の光軸に対して傾くように配置されていることを特徴とする請求項３に記載のマルチビーム光走査装置。
【請求項８】
請求項１乃至７の何れか１項に記載のマルチビーム光走査装置と、前記被走査面に配置された感光体と、前記マルチビーム光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項９】
請求項１乃至７の何れか１項に記載のマルチビーム光走査装置と、外部機器から入力したコードデータを画像信号に変換して前記マルチビーム光走査装置に入力せしめるプリンタコントローラとを有していることを特徴とする画像形成装置。
【請求項１０】
各々が請求項１乃至７の何れか１項に記載のマルチビーム光走査装置の被走査面に配置され、互いに異なった色の画像を形成する複数の像担持体とを有することを特徴とするカラー画像形成装置。
【請求項１１】
外部機器から入力した色信号を異なった色の画像データに変換して各々のマルチビーム光走査装置に入力せしめるプリンタコントローラを有していることを特徴とする請求項１０に記載のカラー画像形成装置。
【手続補正２】
【補正対象書類名】明細書
【補正対象項目名】００２１
【補正方法】変更
【補正の内容】
【００２１】
請求項１の発明のマルチビーム光走査装置は、少なくとも１つの発光部を各々有する複数の光源が主走査方向に離間して配置された光源手段と、前記複数の光源から出射された各々の光束を偏向する偏向手段と、前記複数の光源の各々に対応して設けられ、かつ、副走査断面内において、前記複数の光源から出射された各々の光束を前記偏向手段の偏向面に対し斜め方向から入射させる第１の光学系を複数と、前記偏向手段の偏向面により偏向された複数の光束を被走査面上に結像させる第２の光学系と、を有し、
主走査断面内において、前記複数の第１の光学系の各々から出射した複数の光束を前記偏向手段の偏向面に対し互いに異なる角度で入射させるマルチビーム光走査装置であって、
前記被走査面上における走査開始端部における前記複数の光源のうち一方の光源手段から出射された光束の偏向手段の偏向面の上での副走査方向の主光線位置をZ1s(mm)、前記被走査面上における走査開始端部における前記複数の光源のうち他方の光源手段から出射された光束の偏向手段の偏向面の上での副走査方向の主光線位置をZ2s(mm)、前記被走査面上における走査終了端部における前記複数の光源のうち一方の光源手段から出射された光束の偏向手段の偏向面の上での副走査方向の主光線位置をZ1e(mm)、前記被走査面上における走査終了端部における前記複数の光源のうち一方の光源手段から出射された光束の偏向手段の偏向面の上での副走査方向の主光線位置をZ2e(mm)、前記第２の光学系の副走査方向の結像倍率をβ、前記マルチビーム光走査装置の解像度をＲ(dpi)とするとき、
｜｜Z1s−Z2s｜−｜Z1e−Z2e｜｜×｜β｜＜25.4/(2R)
なる条件を満足することを特徴としている。
【手続補正３】
【補正対象書類名】明細書
【補正対象項目名】００２２
【補正方法】変更
【補正の内容】
【００２２】
請求項２の発明は請求項１の発明において、前記複数の第１の光学系の各々は、主走査断面内において、前記複数の光源の各々から出射された複数の光束を前記偏向手段の偏向面の幅よりも広い光束幅で前記偏向面に入射させており、かつ、前記第１の光学系を構成する少なくとも１つの光学素子は、主走査方向又は副走査方向にパワーを備えており、
前記少なくとも１つの光学素子は、前記光学素子の母線方向が主走査方向から傾いていることを特徴としている。
【手続補正４】
【補正対象書類名】明細書
【補正対象項目名】００２３
【補正方法】変更
【補正の内容】
【００２３】
請求項３の発明は請求項１又は２の発明において、前記被走査面上の画像中央において、前記複数の光束の走査線ピッチ間隔が解像度から定まる所定の値になるように各要素が調整されていることを特徴としている。
【手続補正５】
【補正対象書類名】明細書
【補正対象項目名】００２４
【補正方法】変更
【補正の内容】
【００２４】
請求項４の発明は請求項３の発明において、前記各要素は、前記光源と前記光源から出射された光束の状態を他の状態に変換するコリメーターレンズとを有する光源ユニットであり、副走査断面内において、前記光源ユニットは、前記第１の光学系の光軸に対して傾くように配置されていることを特徴としている。
【手続補正６】
【補正対象書類名】明細書
【補正対象項目名】００２５
【補正方法】変更
【補正の内容】
【００２５】
請求項５の発明は請求項３の発明において、前記各要素は、前記光源から出射された光束の状態を他の状態に変換するコリメーターレンズであり、前記コリメーターレンズは、前記第１の光学系の光軸に対して偏心するように配置されていることを特徴としている。
【手続補正７】
【補正対象書類名】明細書
【補正対象項目名】００２６
【補正方法】変更
【補正の内容】
【００２６】
請求項６の発明は請求項３の発明において、前記各要素は、前記光源から出射された光束を前記偏向手段の偏向面に副走査方向に一端結像させるシリンドリカルレンズであり、前記シリンドリカルレンズは、前記第１の光学系の光軸に対して偏心するように配置されていることを特徴としている。
【手続補正８】
【補正対象書類名】明細書
【補正対象項目名】００２７
【補正方法】変更
【補正の内容】
【００２７】
請求項７の発明は請求項３の発明において、前記各要素は、前記光源から出射された光束を前記偏向手段の偏向面に副走査方向に一端結像させるシリンドリカルレンズであり、前記シリンドリカルレンズは、母線上の任意の垂線が前記第１の光学系の光軸に対して傾くように配置されていることを特徴としている。
【手続補正９】
【補正対象書類名】明細書
【補正対象項目名】００２８
【補正方法】変更
【補正の内容】
【００２８】
請求項８の発明の画像形成装置は、請求項１乃至７の何れか１項に記載のマルチビーム光走査装置と、前記被走査面に配置された感光体と、前記マルチビーム光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正１０】
【補正対象書類名】明細書
【補正対象項目名】００２９
【補正方法】変更
【補正の内容】
【００２９】
請求項９の発明の画像形成装置は、請求項１乃至７の何れか１項に記載のマルチビーム光走査装置と、外部機器から入力したコードデータを画像信号に変換して前記マルチビーム光走査装置に入力せしめるプリンタコントローラとを有していることを特徴としている。
【手続補正１１】
【補正対象書類名】明細書
【補正対象項目名】００３０
【補正方法】変更
【補正の内容】
【００３０】
請求項１０の発明のカラー画像形成装置は、各々が請求項１乃至７の何れか１項に記載のマルチビーム光走査装置の被走査面に配置され、互いに異なった色の画像を形成する複数の像担持体とを有することを特徴としている。
【手続補正１２】
【補正対象書類名】明細書
【補正対象項目名】００３１
【補正方法】変更
【補正の内容】
【００３１】
請求項１１の発明は請求項１０の発明において、外部機器から入力した色信号を異なった色の画像データに変換して各々のマルチビーム光走査装置に入力せしめるプリンタコントローラを有していることを特徴としている。
【手続補正１３】
【補正対象書類名】明細書
【補正対象項目名】００３６
【補正方法】変更
【補正の内容】
【００３６】
図中、７１は光源手段であり、単一または複数の発光点（発光部）を有する光源１、１´が主走査方向に任意の間隔を成して離間して配置されている。本実施例における光源１、１´は、各々モノリシックな２ビームのレーザー素子（２ビーム半導体レーザー）より成り、主走査方向にビーム開き角(入射角度差)γ＝２°を付けて配置されている。
【手続補正１４】
【補正対象書類名】明細書
【補正対象項目名】００９６
【補正方法】変更
【補正の内容】
【００９６】
本実施例における結像光学系106の副走査断面内の結像倍率（副走査倍率）はβ=-1.87で、第１、第２の結像レンズ106a，106bの副走査断面内のパワーを最適化することで、走査開始端（走査開始端部）から走査終了端（走査終了端部）にかけて副走査断面内の結像倍率をほぼ一定としている。また本装置の解像度はR=600dpi(1/mm)である。
【手続補正１５】
【補正対象書類名】明細書
【補正対象項目名】００９８
【補正方法】変更
【補正の内容】
【００９８】
ここで結像光学系106の光軸Ｌに対して86°方向（一方）から入射するビームをLD1、90°方向（他方）から入射するビームをLD2とする。走査開始端における偏向面上でのLD1の主光線高さは、光軸Ｌを基準にして、Z1s(mm)=-0.01917mm、LD2の主光線高さはZ2s(mm)=0.00014mmであり、走査終了端における偏向面上でのLD1の主光線高さはZ1e(mm)=-0.02743mm、LD2の主光線高さはZ2e(mm)=0.00031mmである。
【手続補正１６】
【補正対象書類名】明細書
【補正対象項目名】０１０２
【補正方法】変更
【補正の内容】
【０１０２】
一方、マルチビーム光走査装置の解像度Ｒ(dpi)が600dpi(1/mm)の場合、１画素は0.0423mmとなる。ピッチ間隔のズレが１／２画素以下であれば、ビーム同士の干渉による画像への影響は小さいと考えられる。
【手続補正１７】
【補正対象書類名】明細書
【補正対象項目名】０１３６
【補正方法】変更
【補正の内容】
【０１３６】
現像器１０７によって現像されたトナー像は、感光ドラム１０１の下方で、感光ドラム１０１に対向するように配設された転写ローラ（転写器）１０８によって被転写材たる用紙１１２上に転写される。用紙１１２は感光ドラム１０１の前方（図２０において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。